【手続補正書】
【提出日】平成22年6月18日(2010.6.18)
【手続補正１】
【補正対象書類名】特許請求の範囲
【補正対象項目名】全文
【補正方法】変更
【補正の内容】
【特許請求の範囲】
【請求項１】
放電毎に正常放電か異常放電かを検出し、前記正常放電と前記異常放電とに基づいて正常放電状態と異常放電状態を判別して、前記正常放電状態の後に前記異常放電状態になったときは異常加工状態を回避するのに間に合う必要最低限十分大きい時間幅までオフ時間を拡大し得る２の倍数倍である第１の倍率でオフ時間を拡大させ、連続して前記異常放電状態になったときは前記第１の倍率よりも小さい第２の倍率である２倍の倍率でオフ時間をさらに拡大させ、前記異常放電状態の後に前記正常放電状態になったときは前記第１の倍率でオフ時間を縮小させ、連続して前記正常放電状態になったときは前記第２の倍率でオフ時間をさらに縮小させるようにオフ時間を変更制御する形彫放電加工方法。
【請求項２】
前記正常放電状態の後に一発の前記異常放電が検出されたときには前記異常放電状態と判断して前記第１の倍率でオフ時間を拡大させることを特徴とする請求項１に記載の形彫放電加工方法。
【請求項３】
前記異常放電状態の後に一発の前記正常放電が検出されたときには前記正常放電状態と判断して前記第１の倍率でオフ時間を縮小させることを特徴とする請求項１に記載の形彫放電加工方法。
【請求項４】
放電毎に正常放電か異常放電かを検出する検出装置と、前記正常放電と前記異常放電の発生状態に基づく正常放電状態または異常放電状態に対応して前記正常放電状態の後に前記異常放電状態になったときは前記正常放電状態の後に前記異常放電状態になったときは異常加工状態を回避するのに間に合う必要最低限十分大きい時間幅までオフ時間を拡大し得る２の倍数倍である第１の倍率でオフ時間を拡大させ、連続して前記異常放電状態になったときは前記第１の倍率よりも小さい第２の倍率である２倍の倍率でオフ時間をさらに拡大させ、前記異常放電状態の後に前記正常放電状態になったときは前記第１の倍率でオフ時間を縮小させ、連続して前記正常放電状態になったときは前記第２の倍率でオフ時間をさらに縮小させるようにオフ時間を変更する制御装置と、を備えた形彫放電加工装置。
【手続補正２】
【補正対象書類名】明細書
【補正対象項目名】００２５
【補正方法】変更
【補正の内容】
【００２５】
本発明の形彫放電加工方法は、上記課題を解決するために、放電毎に正常放電か異常放電かを検出し、正常放電と異常放電とに基づいて正常放電状態と異常放電状態を判別して、正常放電状態の後に異常放電状態になったときは前記正常放電状態の後に前記異常放電状態になったときは異常加工状態を回避するのに間に合う必要最低限十分大きい時間幅までオフ時間を拡大し得る２の倍数倍である第１の倍率でオフ時間を拡大させ、連続して異常放電状態になったときは第１の倍率よりも小さい第２の倍率である２倍の倍率でオフ時間をさらに拡大させ、異常放電状態の後に正常放電状態になったときは第１の倍率でオフ時間を縮小させ、連続して正常放電状態になったときは第２の倍率でオフ時間をさらに縮小させるようにオフ時間を変更制御するようにする。
【手続補正３】
【補正対象書類名】明細書
【補正対象項目名】００２７
【補正方法】変更
【補正の内容】
【００２７】
本発明の形彫放電加工装置は、放電毎に正常放電か異常放電かを検出する検出装置と、正常放電と異常放電の発生状態に基づく正常放電状態または異常放電状態に対応して正常放電状態の後に異常放電状態になったときは前記正常放電状態の後に前記異常放電状態になったときは異常加工状態を回避するのに間に合う必要最低限十分大きい時間幅までオフ時間を拡大し得る２の倍数倍である第１の倍率でオフ時間を拡大させ、連続して異常放電状態になったときは第１の倍率よりも小さい第２の倍率である２倍の倍率でオフ時間をさらに拡大させ、異常放電状態の後に正常放電状態になったときは第１の倍率でオフ時間を縮小させ、連続して正常放電状態になったときは第２の倍率でオフ時間をさらに縮小させるようにオフ時間を変更する制御装置と、を備える。
【手続補正４】
【補正対象書類名】明細書
【補正対象項目名】００２９
【補正方法】変更
【補正の内容】
【００２９】
本発明の形彫放電加工装置は、放電毎に正常放電か異常放電かを検出する検出装置と、正常放電と異常放電とに基づいて正常放電状態か異常放電状態かを判別する判別装置と、正常放電状態の後に異常放電状態になったときは第１の倍率でオフ時間を拡大させ、連続して異常放電状態になったときは第１の倍率よりも小さい第２の倍率でオフ時間をさらに拡大させ、異常放電状態の後に正常放電状態になったときは第１の倍率でオフ時間を縮小させ、連続して正常放電状態になったときは第２の倍率でオフ時間をさらに縮小させるようにオフ時間を変更するパルス制御装置と、を備える。
【手続補正５】
【補正対象書類名】明細書
【補正対象項目名】００３１
【補正方法】変更
【補正の内容】
【００３１】
本発明の放電加工方法は、放電毎に正常放電か異常放電かを検出して、異常放電の発生状態に基づく異常放電状態のときにオフ時間を拡大させ、正常放電の発生状態に基づく正常放電状態のときにオフ時間を縮小させるようにオフ時間を変更する形彫放電加工方法において、オフ時間を縮小した後にオフ時間を拡大するときは第１の倍率でオフ時間を拡大させ、オフ時間を連続的に拡大するときは第１の倍率よりも小さい第２の倍率でさらにオフ時間を拡大させ、オフ時間を拡大した後にオフ時間を縮小するときは第１の倍率でオフ時間を縮小させ、オフ時間を連続的に縮小するときは第２の倍率でさらにオフ時間を縮小させるようにオフ時間を変更制御するようにする。
【手続補正６】
【補正対象書類名】明細書
【補正対象項目名】００３２
【補正方法】変更
【補正の内容】
【００３２】
また、本発明の形彫放電加工装置は、放電毎に正常放電か異常放電かを検出する検出装置と、異常放電の発生状態に基づく異常放電状態のときにオフ時間を拡大させ、正常放電の発生状態に基づく正常放電状態のときにオフ時間を縮小させるようにオフ時間を変更するとともに、オフ時間を縮小した後にオフ時間を拡大するときは第１の倍率でオフ時間を拡大させ、オフ時間を連続的に拡大するときは第１の倍率よりも小さい第２の倍率でさらにオフ時間を拡大させ、オフ時間を拡大した後にオフ時間を縮小するときは第１の倍率でオフ時間を縮小させ、オフ時間を連続的に縮小するときは第２の倍率でさらにオフ時間を縮小させるようにオフ時間を変更制御する制御装置と、を備える。
【手続補正７】
【補正対象書類名】明細書
【補正対象項目名】００３４
【補正方法】変更
【補正の内容】
【００３４】
本発明の形彫放電加工方法は、放電毎に正常放電か異常放電かを検出し、正常放電と異常放電とに基づいて正常放電状態と異常放電状態を判別して、正常放電状態の後に異常放電状態になったときは第１の時間幅でオフ時間を拡大させ、連続して異常放電状態になったときは第１の時間幅よりも短い第２の時間幅でオフ時間をさらに拡大させ、異常放電状態の後に正常放電状態になったときは第１の時間幅でオフ時間を縮小させ、連続して正常放電状態になったときは第２の時間幅でオフ時間をさらに縮小させるようにオフ時間を変更制御するようにすることができる。
【手続補正８】
【補正対象書類名】明細書
【補正対象項目名】００３６
【補正方法】変更
【補正の内容】
【００３６】
本発明の形彫放電加工装置は、放電毎に正常放電か異常放電かを検出する検出装置と、正常放電と異常放電の発生状態に基づく正常放電状態または異常放電状態に対応して正常放電状態の後に異常放電状態になったときは第１の時間幅でオフ時間を拡大させ、連続して異常放電状態になったときは第１の時間幅よりも短い第２の時間幅でオフ時間をさらに拡大させ、異常放電状態の後に正常放電状態になったときは第１の時間幅でオフ時間を縮小させ、連続して正常放電状態になったときは第２の時間幅でオフ時間をさらに縮小させるようにオフ時間を変更する制御装置と、を備えるようにすることができる。
【手続補正９】
【補正対象書類名】明細書
【補正対象項目名】００３８
【補正方法】変更
【補正の内容】
【００３８】
本発明の形彫放電加工装置は、放電毎に正常放電か異常放電かを検出する検出装置と、正常放電と異常放電とに基づいて正常放電状態か異常放電状態かを判別する判別装置と、正常放電状態の後に異常放電状態になったときは第１の時間幅でオフ時間を拡大させ、連続して異常放電状態になったときは第１の時間幅よりも短い第２の時間幅でオフ時間をさらに拡大させ、異常放電状態の後に正常放電状態になったときは第１の時間幅でオフ時間を縮小させ、連続して正常放電状態になったときは第２の時間幅でオフ時間をさらに縮小させるようにオフ時間を変更するパルス制御装置と、を備えるようにすることができる。
【手続補正１０】
【補正対象書類名】明細書
【補正対象項目名】００４０
【補正方法】変更
【補正の内容】
【００４０】
本発明の形彫放電加工方法は、放電毎に正常放電か異常放電かを検出して、異常放電の発生状態に基づく異常放電状態のときにオフ時間を拡大させ、正常放電の発生状態に基づく正常放電状態のときにオフ時間を縮小させるようにオフ時間を変更する形彫放電加工方法において、オフ時間を縮小した後にオフ時間を拡大するときは第１の時間幅でオフ時間を拡大させ、オフ時間を連続的に拡大するときは第１の時間幅よりも短い第２の時間幅でさらにオフ時間を拡大させ、オフ時間を拡大した後にオフ時間を縮小するときは第１の時間幅でオフ時間を縮小させ、オフ時間を連続的に縮小するときは第２の時間幅でさらにオフ時間を縮小させるようにオフ時間を変更制御するようにすることができる。
【手続補正１１】
【補正対象書類名】明細書
【補正対象項目名】００４１
【補正方法】変更
【補正の内容】
【００４１】
本発明の形彫放電加工装置は、放電毎に正常放電か異常放電かを検出する検出装置と、異常放電の発生状態に基づく異常放電状態のときにオフ時間を拡大させ、正常放電の発生状態に基づく正常放電状態のときにオフ時間を縮小させるようにオフ時間を変更するとともに、オフ時間を縮小した後にオフ時間を拡大するときは第１の時間幅でオフ時間を拡大させ、オフ時間を連続的に拡大するときは第１の時間幅よりも短い第２の時間幅でさらにオフ時間を拡大させ、オフ時間を拡大した後にオフ時間を縮小するときは第１の時間幅でオフ時間を縮小させ、オフ時間を連続的に縮小するときは第２の時間幅でさらにオフ時間を縮小させるようにオフ時間を変更制御する制御装置とを、備えるようにすることができる。